(57)【要約】【課題】  小型化が図られた機器を提供する。【解決手段】  電池室２＿１の奥に相対的に弱いバネ性の可動接点４＿１，４＿２を備えるとともに、電池蓋３に電池室２＿１の奥の可動接点４＿１，４＿２よりも相対的に強いバネ性の可動接点５を備え、この可動接点５を、コイルバネ５＿１１と、絶縁ピース５＿４が嵌め込まれてコイルバネ５＿１１に被せられそのコイルバネ５＿１１のバネ力を受けて電池室２＿１内の電池１００の端子に接触する接点板金５＿２と、接点板金５＿２をコイルバネ５＿１１に被せた状態に保つホールド板とから構成した。【選択図】        図３
2005049743.tif 000002
【特許請求の範囲】
【請求項１】
電池が長手方向に挿入される電池室と該電池室を塞ぐ電池蓋とを備え該電池室内の電池から電力の供給を受けて動作する機器において、
前記電池室奥に固定接点もしくは相対的に弱いバネ性の可動接点を備えるとともに、前記電池蓋に前記電池室奥の接点よりも相対的に強いバネ性の可動接点を備えたことを特徴とする機器。
【請求項２】
前記電池蓋に備えられた可動接点が、
コイルバネと、
前記コイルバネに被せられ該コイルバネのバネ力を受けて電池室内の電池の端子に接触する接点板金と、
前記接点板金を前記コイルバネに被せた状態に保つホールド板とを備えたことを特徴とする請求項１記載の機器。
【請求項３】
前記電池蓋に備えられた可動接点が、
板バネと、
前記板バネに被せられ該板バネのバネ力を受けて電池室内の電池の端子に接触する接点板金と、
前記接点板金を前記板バネに被せた状態に保つホールド板とを備えたことを特徴とする請求項１記載の機器。
【請求項４】
前記電池蓋に備えられた可動接点が、
板バネと、
前記板バネの先端部に該板バネと一体化された、該板バネのバネ力を受けて電池室内の電池の端子に接触する接点板金とを備えたことを特徴とする請求項１記載の機器。
【発明の詳細な説明】
【技術分野】
【０００１】
本発明は、電池が長手方向に挿入される電池室とその電池室を塞ぐ電池蓋とを備え、その電池室内の電池から電力の供給を受けて動作する機器に関する。
【背景技術】
【０００２】
従来より、電池が長手方向に挿入される電池室とその電池室を塞ぐ電池蓋とを備え、その電池室内の電池から電力の供給を受けて動作する機器として、カメラやビデオなどの光学機器、携帯電話やコードレス電話などの通信機器、ノートパソコンや電子手帳などのＯＡ機器等が知られている。このような機器には、一般に、機器の本体側である電池室に相対的に強いバネ性の可動接点（板バネやコイルバネ等）が設けられるとともに、電池蓋側に固定接点（板金部材）が設けられている。
【０００３】
ここで、電池蓋側に、接点部材のほかに第１突出部,第２突出部を具備した追随接片を備え、電池に振動等が加わった場合であっても、追随接片の復元力により第１突出部,第２突出部が電池のプラス端子,マイナス端子に追随するように構成された技術が提案されている（特許文献１参照）。この技術によれば、カメラ等の機器に衝撃等が加わった場合であっても、追随接片の復元力により第１突出部,第２突出部が電池のプラス端子,マイナス端子に追随するため、電池からの電力の、回路基板等への供給が絶たれるという、いわゆる瞬断現象の発生を抑えることができる。
【特許文献１】特開２００２−２９８８１０号公報
【発明の開示】
【発明が解決しようとする課題】
【０００４】
しかし、上記特許文献１に提案された技術では、電池のプラス端子,マイナス端子に追随するための復元力を有する第１突出部,第２突出部を具備した追随接片を備えるものであるため、構造が複雑であり、機器が大型化するという問題がある。
【０００５】
本発明は、上記事情に鑑み、小型化が図られた機器を提供することを目的とする。
【課題を解決するための手段】
【０００６】
上記目的を達成する本発明の機器は、電池が長手方向に挿入される電池室とその電池室を塞ぐ電池蓋とを備えその電池室内の電池から電力の供給を受けて動作する機器において、
上記電池室奥に固定接点もしくは相対的に弱いバネ性の可動接点を備えるとともに、上記電池蓋に上記電池室奥の接点よりも相対的に強いバネ性の可動接点を備えたことを特徴とする。
【０００７】
近年、機器の小型化に伴い、その機器の電池室に挿入される電池も、いわゆるＡ４サイズ等の比較的小さな電池が使用されるようになってきている。このような機器の電池室内に、従来のように、相対的に強いバネ性の可動接点を備えることは、機器の小型化の妨げになる。一方、電池蓋は、所定の荷重を支えるためにある程度の厚みを持ったリブ等が必要とされる。本発明は、この点に着目してなされたものである。
【０００８】
本発明の機器は、上述したようにある程度の厚みが必要とされる電池蓋に、電池室奥の接点よりも相対的に強いバネ性の可動接点を備えたものであるため、電池室内に相対的に強いバネ性の可動接点を備えた場合と比較し、電池室が配備された本体側の空間を小さく抑えることができる。従って、機器の小型化が図られる。
【０００９】
ここで、上記電池蓋に備えられた可動接点が、
コイルバネと、
上記コイルバネに被せられそのコイルバネのバネ力を受けて電池室内の電池の端子に接触する接点板金と、
上記接点板金を上記コイルバネに被せた状態に保つホールド板とを備えたものであることが好ましい。
【００１０】
このような部材を備えると、電池蓋に備えられた相対的に強いバネ性の可動接点を簡単に実現することができる。
【００１１】
また、上記電池蓋に備えられた可動接点が、
板バネと、
上記板バネに被せられその板バネのバネ力を受けて電池室内の電池の端子に接触する接点板金と、
上記接点板金を上記板バネに被せた状態に保つホールド板とを備えたものであることも好ましい態様である。
【００１２】
このように、コイルバネに代えて板バネを備えても、電池蓋に備えられた相対的に強いバネ性の可動接点を簡単に実現することができる。
【００１３】
さらに、上記電池蓋に備えられた可動接点が、
板バネと、
上記板バネの先端部にその板バネと一体化された、その板バネのバネ力を受けて電池室内の電池の端子に接触する接点板金とを備えたものであることも好ましい。
【００１４】
このように、板バネと一体化された接点板金を備えると、電池蓋に備えられた相対的に強いバネ性の可動接点を構成する部品点数を削減することができる。
【発明の効果】
【００１５】
本発明の機器では、ある程度の厚みが必要とされる電池蓋に、電池室奥の接点よりも相対的に強いバネ性の可動接点を備えたものであるため、電池室が配備された本体側の空間を小さく抑えることができ、機器の小型化が図られる。
【発明を実施するための最良の形態】
【００１６】
以下、本発明の実施形態について説明する。
【００１７】
図１は、本発明の機器の第１実施形態であるデジタルカメラを前面斜め上から見た外観斜視図、図２は、図１のデジタルカメラを背面斜め上から見た外観斜視図である。
【００１８】
図１に示すように、このデジタルカメラ１の前面中央部には、撮影レンズ１１が備えられている。また、このデジタルカメラ１の前面上部には、光学式ファインダ対物窓１２および補助光発光部１３が備えられている。さらに、このデジタルカメラ１の上面には、シャッタボタン１４およびスライド式の電源スイッチ１５が備えられている。
【００１９】
さらに、デジタルカメラ１の内部には、図示しない電池が長手方向に挿入される電池室２＿１を有する電池ケース２が組み込まれている。また、この電池ケース２には、電池室２＿１を塞ぐ電池蓋３が取り付けられている。
【００２０】
また、図２に示すように、このデジタルカメラ１の背面には、光学式ファインダ接眼窓１６と、メニュースイッチ１７と、実行／画面切換スイッチ１８と、画像モニタ１９とが備えられている。
【００２１】
このデジタルカメラ１で写真撮影を行なう場合は、先ず電源スイッチ１５をオン（スライド）する。次いで、シャッタボタン１４を押下する。すると、必要に応じて補助光発光部１３が発光し、撮影レンズ１１を経由して被写体像が図示しない撮像素子上に結像されその被写体像に応じた画像データが得られる。この画像データは内蔵メモリ（またはメモリカード）に記録される。内蔵メモリに記録された画像データは、メニュースイッチ１７や実行／画面切換スイッチ１８を操作することにより画像モニタ１９に読み出されて、画像モニタ１９に被写体の画像が表示される。
【００２２】
図３は、図１，図２に示すデジタルカメラの電池ケースおよび電池蓋の断面図である。
【００２３】
図３に示す電池ケース２が有する電池室２＿１には、その電池室２＿１の長手方向に電池１００が挿入されている（実際には、電池室２＿１には２つの電池１００が挿入されるが、図面を簡単にするために、ここでは１つの電池１００のみ示す）。また、電池ケース２の下部には、記録メディアが挿入される挿入穴２ａが設けられている。
【００２４】
電池室２＿１の奥（図３の上側）には、相対的に弱いバネ性の可動接点４＿１,４＿２が備えられている。これら可動接点４＿１,４＿２の、図３の右側の端部は、図示しない回路基板に固定されている。また、電池蓋３には、電池室２＿１の奥の可動接点４＿１,４＿２よりも相対的に強いバネ性の可動接点５が備えられている。可動接点５については、この図３に加え、図４および図５を参照して説明する。
【００２５】
図４は、図３に示す可動接点の組み立て分解図、図５は、図４に示すようにして組み立てられた可動接点を示す図である。
【００２６】
図４に示す電池蓋３は、矢印Ａ方向にスライドさせることにより回転軸３ａを中心に、この図４の下側に開放される。また、図４には、可動接点５を構成する、電池蓋３上に載置されるコイルバネ５＿１１，５＿１２と、コイルバネ５＿１１,５＿１２に被せられそれらコイルバネ５＿１１，５＿１２のバネ力を受けて電池室２＿１内の２つの電池１００のうちの一方の電池１００のプラス端子,他方の電池１００のマイナス端子に接触する接点板金５＿２が示されている。ここで、接点板金５＿２は、中央部に弾性を有するヒンジ５＿２ａを有する。このヒンジ５＿２ａの弾性により、電池室２＿１に挿入された２つの電池１００の長さ寸法がばらついていても、そのばらつき分が補償され、これにより電池１００のプラス端子，マイナス端子が確実に接点板金５＿２の所定の位置（端子クリーニング用のダボ）に接触する。従って、電池１００からの電力の供給が安定して行なわれて信頼性が高まる。
【００２７】
また、可動接点５には、接点板金５＿２をコイルバネ５＿１１，５＿１２に被せた状態に保つホールド板５＿３が備えられている。
【００２８】
さらに、可動接点５には、接点板金５＿２の、コイルバネ５＿１１を被せる部分（一方の電池１００のプラス端子が接触する部分）に、絶縁ピース５＿４が嵌め込まれている。この絶縁ピース５＿４は、電池蓋３の矢印Ａ方向へのスライド時に電池１００のプラス端子との干渉を緩和するとともに部品強度確保のために、電池蓋３がスライドする矢印Ａ方向側が切り欠かれてなる三日月状に形成されている。ここで、電池１００が逆に挿入された場合であっても、その電池１００のマイナス端子が絶縁ピース５＿４で絶縁されるため、回路基板等への異常な電圧の印加が防止される。
【００２９】
可動接点５を組み立てるには、この図４に示すように、電池蓋３上にコイルバネ５＿１１，５＿１２を載置し、次いで絶縁ピース５＿４が嵌め込まれた接点板金５＿２をコイルバネ５＿１１，５＿１２に被せ、さらにホールド板５＿３を電池蓋３にネジ５＿５１，５＿５２で固定する。このようにして、図４に示す可動接点５を組み立てる。
【００３０】
一般に、電池１００の接点荷重５〜１０Ｎを確保し、且つ電池１００を連続して挿抜しても十分な耐久性を持つバネ性の可動接点５を備えるためには、所定のスペースの確保が必要である。第１実施形態のデジタルカメラ１では、所定の荷重を支えるためにある程度の厚みを持ったリブ等が備えられた電池蓋３の空きスペースに、電池室２＿１の奥の可動接点４＿１，４＿２よりも相対的に強いバネ性の可動接点５を備えたものであるため、上記の条件を十分に満たすことができ、電池室２＿１内に相対的に強いバネ性の可動接点を備えた場合と比較し、電池室２＿１が配備された本体側の空間を小さく抑えることができる。また、電池室２＿１の奥に、相対的に弱いバネ性の可動接点４＿１,４＿２が備えられているため、それら可動接点４＿１,４＿２の可動領域におけるバネ追従性およびセルフクリーニングにより、瞬断現象の発生防止と、電池１００のプラス，マイナス端子との間におけるインピーダンスの低減および安定性が確保される。
【００３１】
さらに、電池室２＿１が配備された本体側の空間が小さく抑えられているため、電池室２＿１の近傍にレイアウトされた、前述した図３に示す挿入穴２ａに挿入される記録メディアやジャック等が配備されるスペースを十分に確保することができる。従って、上記記録メディアやジャック等の挿抜の操作性を高めることができる。
【００３２】
ここで、デジタルカメラ１の小型化に伴い、電池１００も小型化が要求され、例えば、プラス端子の径（Ｍｉｎφ２ｍｍ）が小さなＡ４サイズの電池１００が使用される。第１実施形態では、このようなＡ４サイズの電池１００が使用された場合であっても、上述した構成であるため、そのように小さなプラス端子の径を有し且つ電池１００の長さ寸法がばらついていても、瞬断対策が行なわれるとともに小型化が図られたデジタルカメラ１を提供することができる。
【００３３】
図６は、本発明の機器の第２実施形態であるデジタルカメラにおける電池ケースおよび電池蓋の断面図である。
【００３４】
尚、第２実施形態のデジタルカメラの外観斜視図は、前述した図１に示すデジタルカメラ１の外観斜視図と同じであるので図示省略する。
【００３５】
第２実施形態は、第１実施形態と比較し、電池蓋３に備えられた可動接点５が可動接点６に置き換えられている点が異なっている。この可動接点６については、この図６に加え、図７および図８を参照して説明する。
【００３６】
図７は、図６に示す可動接点の組み立て分解図、図８は、図７に示すようにして組み立てられた可動接点を示す図である。
【００３７】
図７には、可動接点６を構成する、図４に示す可動接点５を構成するコイルバネ５＿１１，５＿１２に代わる板バネ６＿１が示されている。この板バネ６＿１は、２つの電池１００に対応する２つの撓み部分６＿１ａ,６＿１ｂを有する。
【００３８】
可動接点６を組み立てるには、電池蓋３上に板バネ６＿１を載置し、次いで絶縁ピース５＿４が嵌め込まれた接点板金５＿２を板バネ６＿１の撓み部分６＿１ａ,６＿１ｂに被せ、さらにホールド板５＿３を電池蓋３にネジ５＿５１，５＿５２で固定する。このようにして、図８に示す可動接点６を組み立てる。
【００３９】
第２実施形態では、上記撓み部分６＿１ａ,６＿１ｂを有する１つの板バネ６＿１で接点板金５＿２を押し上げる構成であるため、前述した第１実施形態における２つのコイルバネ５＿１１，５＿１２で接点板金５＿２を押し上げる構成と比較し、部品点数を削減することができる。
【００４０】
尚、第２実施形態では、電池室２＿１に挿入される２つの電池１００に対応する２つの撓み部分６＿１ａ,６＿１ｂを有する板バネ６＿１の例で説明したが、電池室２＿１に３つ以上の電池１００が挿入される機器の場合は、それら３つ以上の電池に対応する３つ以上の撓み部分を有する１つの板バネを用いることができる。
【００４１】
図９は、本発明の機器の第３実施形態であるデジタルカメラにおける電池ケースおよび電池蓋の断面図である。
【００４２】
尚、第３実施形態のデジタルカメラの外観斜視図も、前述した図１に示すデジタルカメラ１の外観斜視図と同じであるので図示省略する。
【００４３】
図９に示す電池蓋３には、第３実施形態の特徴である可動接点７が備えられている。この可動接点７については、この図９に加え、図１０および図１１を参照して説明する。
【００４４】
図１０は、図９に示す可動接点の組み立て分解図、図１１は、図１０に示すようにして組み立てられた可動接点を示す図である。
【００４５】
図１０には、可動接点７を構成するＵ字状の板バネ７＿１が示されている。この板バネ７＿１の、Ｕ字状の先端部７＿１ａ，７＿１ｂには、板バネ７＿１と一体化された、その板バネ７＿１のバネ力を受けて電池室２＿１内の電池１００のプラス端子，マイナス端子に接触する接点板金７＿２１,７＿２２が備えられている。
【００４６】
可動接点７を組み立てるには、電池蓋３の嵌合部（図示せず）に、板バネ７＿１と一体化された接点板金７＿２１,７＿２２を嵌合させる。尚、接点板金７＿２１には絶縁ピース５＿４が予め嵌め込まれている。このようにして、図１１に示す可動接点７を組み立てる。
【００４７】
第３実施形態では、上述したように、板バネ７＿１と一体化された接点板金７＿２１,７＿２２が備えられているため、電池蓋３に備えられた相対的に強いバネ性の可動接点７を構成する部品点数を大幅に削減することができる。
【００４８】
尚、第３実施形態では、電池室２＿１に挿入される２つの電池１００の端子に接触する２つの接点板金７＿２１,７＿２２を備えた板バネ７＿１の例で説明したが、電池室２＿１に３つ以上の電池１００が挿入される機器の場合は、それら３つ以上の電池の端子に接触する３つ以上の接点板金を備えた１つの板バネを用いることができる。
【００４９】
尚、上述した第１,第２,第３実施形態では、電池室２＿１の奥に、相対的に弱いバネ性の可動接点４＿１,４＿２を備えた例で説明したが、これに限られるものではなく、電池室２＿１の奥に固定接点を備えてもよい。
【００５０】
また、上述した第１,第２,第３実施形態では、デジタルカメラの例で説明したが、これに限られるものではなく、本発明は、電池が長手方向に挿入される電池室とその電池室を塞ぐ電池蓋とを備え、その電池室内の電池から電力の供給を受けて動作する機器であればよい。
【図面の簡単な説明】
【００５１】
【図１】本発明の機器の第１実施形態であるデジタルカメラを前面斜め上から見た外観斜視図である。
【図２】図１のデジタルカメラを背面斜め上から見た外観斜視図である。
【図３】図１，図２に示すデジタルカメラの電池ケースおよび電池蓋の断面図である。
【図４】図３に示す可動接点の組み立て分解図である。
【図５】図４に示すようにして組み立てられた可動接点を示す図である。
【図６】本発明の機器の第２実施形態であるデジタルカメラにおける電池ケースおよび電池蓋の断面図である。
【図７】図６に示す可動接点の組み立て分解図である。
【図８】図７に示すようにして組み立てられた可動接点を示す図である。
【図９】本発明の機器の第３実施形態であるデジタルカメラにおける電池ケースおよび電池蓋の断面図である。
【図１０】図９に示す可動接点の組み立て分解図である。
【図１１】図１０に示すようにして組み立てられた可動接点を示す図である。
【符号の説明】
【００５２】
１  デジタルカメラ
２  電池ケース
２＿１  電池室
２ａ  挿入穴
３  電池蓋
３ａ  回転軸
４＿１,４＿２，５，６，７  可動接点
５＿１１，５＿１２  コイルバネ
５＿２，７＿２１,７＿２２  接点板金
５＿２ａ  ヒンジ
５＿３  ホールド板
５＿４  絶縁ピース
５＿５１，５＿５２  ネジ
６＿１，７＿１  板バネ
６＿１ａ,６＿１ｂ  撓み部分
７＿１ａ，７＿１ｂ  先端部
１１  撮影レンズ
１２  光学式ファインダ対物窓
１３  補助光発光部
１４  シャッタボタン
１５  電源スイッチ
１６  光学式ファインダ接眼窓
１７  メニュースイッチ
１８  実行／画面切換スイッチ
１９  画像モニタ
１００  電池
【図１】
2005049743.tif 000003
【図２】
2005049743.tif 000004
【図３】
2005049743.tif 000005
【図４】
2005049743.tif 000006
【図５】
2005049743.tif 000007
【図６】
2005049743.tif 000008
【図７】
2005049743.tif 000009
【図８】
2005049743.tif 000010
【図９】
2005049743.tif 000011
【図１０】
2005049743.tif 000012
【図１１】
2005049743.tif 000013